(57)【要約】【課題】トルクセンサの検出結果に適切な固有情報を反映させること。【解決手段】ステアリング装置は、ステアリングホイールが連結されたステアリングシャフトと転舵輪が連結されたラックシャフトとを含む操舵機構と、ラックシャフトにアシストトルクを付与する操舵モータとを備える。また、ステアリング装置は、ステアリングシャフトにかかる操舵トルクを検出するトルクセンサと、トルクセンサの検出結果に基づきアシストトルクを発生させるように操舵モータを制御するＥＣＵとを備える。そして、ステアリングシャフトは、少なくともコラムシャフトとその他とに分割可能に構成される。また、操舵モータとＥＣＵとはユニット化されるとともに、コラムシャフトにはトルクセンサが設けられる。また、トルクセンサには、該トルクセンサのオフセット値を記憶するメモリが搭載されるようにした。【選択図】図３
2016041542.tif 000002
【特許請求の範囲】
【請求項１】
ステアリングホイールが連結されたステアリングシャフトと転舵輪が連結された転舵シャフトとを含む操舵機構と、
前記操舵機構の前記転舵シャフトにアシストトルクを付与する操舵アクチュエータと、
前記ステアリングシャフトにかかる操舵トルクを検出するトルクセンサと、
前記トルクセンサの検出結果に基づき前記アシストトルクを発生させるように前記操舵アクチュエータを制御する制御部と、を備え、
前記ステアリングシャフトは、少なくともコラムシャフトとその他とに分割可能に構成され、
前記操舵アクチュエータと前記制御部とはユニット化されるとともに、前記コラムシャフトには前記トルクセンサが設けられ、
前記トルクセンサには、該トルクセンサの固有情報を記憶する記憶部が搭載されたステアリング装置。
【請求項２】
前記トルクセンサは、前記操舵トルクを検出し、その結果をアナログ信号として出力する検出部と、前記アナログ信号を変換して前記制御部に対してデジタル信号として出力する変換部と、を備え、
前記記憶部は、前記変換部に搭載され、
前記記憶部の固有情報は、前記変換部の変換の際に反映される請求項１に記載のステアリング装置。
【請求項３】
前記トルクセンサは、前記操舵トルクを検出し、その結果を前記制御部に対してアナログ信号として出力する検出部を備え、
前記記憶部は、前記検出部とは別に搭載され、
前記記憶部の前記固有情報は、前記検出部の前記アナログ信号に対して反映される請求項１に記載のステアリング装置。
【請求項４】
前記固有情報は、前記トルクセンサの検出結果をオフセット補正するためのオフセット値を含む請求項１〜請求項３のうちいずれか一項に記載のステアリング装置。
【発明の詳細な説明】
【技術分野】
【０００１】
本発明は、ステアリング装置に関する。
【背景技術】
【０００２】
従来、ステアリングホイールの操作に伴うステアリングシャフトの回転をラックシャフトに伝達することにより転舵輪の向きを変える操舵機構を備えたステアリング装置では、運転者のステアリング操作を補助（操舵アシスト）するものがある。操舵アシストには、モータ等のアクチュエータが用いられ、運転者のステアリング操作に応じてモータ等の制御がなされる。
【０００３】
こうした操舵アシストをするステアリング装置としては、例えば、特許文献１に記載のステアリング装置が発案されている。特許文献１のステアリング装置は、ラックシャフトに対して操舵アシストするラック型の電動パワーステアリング装置であって、操舵アシストするためのアシスト力を付与する操舵力補助装置がラックシャフトに備え付けられている。
【０００４】
そして、特許文献１のステアリング装置では、ステアリングシャフトにかかる操舵トルクを検出するトルクセンサがステアリングホイール近傍となるコラムシャフトに備え付けられている。すなわち、特許文献１のステアリング装置では、トルクセンサが操舵力補助装置から独立して備え付けられている。
【先行技術文献】
【特許文献】
【０００５】
【特許文献１】特開昭６４−３２９６６号公報
【発明の概要】
【発明が解決しようとする課題】
【０００６】
例えば、トルクセンサでは、その検出結果（特に、ステアリングホイールの中立位置の検出のずれ）に対してオフセット補正する必要があり、そのオフセット値はトルクセンサの固有情報として操舵力補助装置を制御する制御部に通常記憶されている。そして、ステアリング装置に異常があって、制御部の交換が必要な場合には、そのときにステアリング装置に設けられているトルクセンサに応じたオフセット値を制御部の交換後に再度設定すれば正常な制御を得ることができる。その一方で、ステアリング装置に異常があって、トルクセンサの交換が必要な場合には、通常、コラムシャフト（ＡＳＳＹ）単位で交換することになるが、コラムシャフトの交換を制御部が把握する術が用意されていない。このため、ステアリング装置の異常によりコラムシャフトを交換してしまうと、交換後のトルクセンサに対して交換前のトルクセンサに応じた不適切なオフセット値を検出結果に反映させてしまう可能性がある。なお、トルクセンサの固有情報には、オフセット値以外にも様々な情報の場合がある。
【０００７】
本発明は、このような実情に鑑みてなされたものであり、その目的は、トルクセンサの検出結果に適切な固有情報を反映させることができるステアリング装置を提供することにある。
【課題を解決するための手段】
【０００８】
上記課題を解決するステアリング装置は、ステアリングホイールが連結されたステアリングシャフトと転舵輪が連結された転舵シャフトとを含む操舵機構と、操舵機構の転舵シャフトにアシストトルクを付与する操舵アクチュエータと、ステアリングシャフトにかかる操舵トルクを検出するトルクセンサと、トルクセンサの検出結果に基づきアシストトルクを発生させるように操舵アクチュエータを制御する制御部とを備える。ステアリングシャフトは、少なくともコラムシャフトとその他とに分割可能に構成される。また、操舵アクチュエータと制御部とはユニット化されるとともに、コラムシャフトにはトルクセンサが設けられる。そして、トルクセンサには、該トルクセンサの固有情報を記憶する記憶部が搭載されている。
【０００９】
上記構成によれば、記憶部が常にトルクセンサとセットで取り扱われるようになり、トルクセンサに付いて回るようになる。すなわち、トルクセンサの固有情報がトルクセンサで管理されるようになる。このため、ステアリング装置に異常があって、トルクセンサ、すなわちコラムシャフトを交換する際には、制御部としてトルクセンサ（コラムシャフト）の交換を把握することが必要なくなる。このように、トルクセンサを交換したとしても制御部及びトルクセンサについてお互いを関連付けるような処置を施す必要がない。したがって、トルクセンサを交換してもトルクセンサの検出結果に適切な固有情報を反映させることができる。
【００１０】
また、上記構成によれば、ステアリング装置に異常があって、制御部を交換する際には、トルクセンサの固有情報はトルクセンサで管理されるので、トルクセンサの固有情報について制御部として特段の設定が必要なくなる。したがって、制御部を交換してもトルクセンサの検出結果に適切な固有情報を反映させることができる。
【００１１】
その他、制御部及びトルクセンサについてお互いを関連付けるような処置を施す必要がなければ、ステアリング装置の製造工場での組立工程においてもその有効性が発揮される。すなわち、上記製造工場では、トルクセンサとして固有情報の設定が完了さえされていれば制御部との関係を気にせず適当な組み合わせで組み立てて行くことができる。これは、トルクセンサや制御部を交換する際も同様であって、交換後の組み合わせを気にせず適当に組み立てることができる。したがって、ステアリング装置の組み立てに関わる場面で作業性の効率を向上させることができる。
【００１２】
こうしたトルクセンサとしては、その検出結果をデジタル信号として出力したりアナログ信号として出力したりするものが用いられる。こうした出力の仕様に対しては、それぞれで記憶部の搭載の仕様も変更する必要があり、固有情報を反映させるタイミングについてもそれぞれ推奨される組み合わせが存在しうる。
【００１３】
例えば、トルクセンサは、操舵トルクを検出し、その結果をアナログ信号として出力する検出部と、アナログ信号を変換して制御部に対してデジタル信号として出力する変換部とを備える。このように、トルクセンサが制御部に対してデジタル信号を出力する場合、記憶部の変換部への搭載が推奨され、変換部の変換の際に記憶部の固有情報を反映させることが推奨される。
【００１４】
一方、トルクセンサは、操舵トルクを検出し、その結果を制御部に対してアナログ信号として出力する検出部を備える。このように、トルクセンサが制御部に対してアナログ信号を出力する場合、記憶部は検出部とは別個の搭載が推奨され、検出部のアナログ信号に対して記憶部の固有情報を反映させることが推奨される。
【００１５】
上述したように、推奨される組み合わせで記憶部を搭載することで、その搭載のためのスペースの確保を容易にするのに寄与し、固有情報の反映に係る構成を簡素化するのに寄与しうる。
【００１６】
そして、記憶部に記憶される固有情報としては、例えば、トルクセンサの検出結果をオフセット補正するためのオフセット値が含まれる。通常、トルクセンサの検出結果に対してはオフセット補正され、汎用性の高い固有情報についてトルクセンサで独自に管理するようにすることで、上記構成によるトルクセンサの汎用性を高めることができる。
【発明の効果】
【００１７】
本発明によれば、トルクセンサを交換しても適切な固有情報を検出結果に反映させることができる。
【図面の簡単な説明】
【００１８】
【図１】ステアリング装置の概略を示す図。
【図２】第１実施形態におけるトルクセンサを示す図。
【図３】ステアリング装置のユニット交換の態様を説明する図。
【図４】第２実施形態におけるトルクセンサを示す図。
【発明を実施するための形態】
【００１９】
（第１実施形態）
以下、ステアリング装置の第１実施形態を説明する。
図１に示すように、本実施形態のステアリング装置は、運転者のステアリングホイール２の操作（以下、「ステアリング操作」という）により転舵輪３の舵角を変更可能な操舵機構１を備える。操舵機構１は、ステアリングホイール２の回転軸となるステアリングシャフト４、及びその下端部にラックアンドピニオン機構５を介して連結された転舵シャフトとしてのラックシャフト６を備える。
【００２０】
具体的に、ステアリングホイール２は、ステアリングシャフト４に対して径方向に回転可能に機械機構２ａを介して連結（固定）される。ステアリングシャフト４は、ステアリングホイール２側から順に、一端にステアリングホイール２が機械機構２ａを介して連結されるコラムシャフト１１と、コラムシャフト１１と自在継手４ａを介して機械的に連結される中間シャフト１２と、中間シャフト１２と自在継手４ｂを介して機械的に連結されるピニオンシャフト１３からなる。
【００２１】
また、ラックアンドピニオン機構５は、ラックシャフト６が往復動可能に挿通される略円筒状のラックハウジング７を備える。ラックハウジング７には、ピニオンシャフト１３がラックシャフト６と斜交する状態で回転可能に収容される。そして、ラックシャフト６のラック歯６ａとピニオンシャフト１３のピニオン歯１３ａとが噛合される。
【００２２】
したがって、運転者によるステアリング操作に伴うステアリングシャフト４の回転は、ラックアンドピニオン機構５によりラックシャフト６の往復直線運動に変換される。そして、このラックシャフト６の往復直線運動により転舵輪３の舵角が変更される。
【００２３】
また、ステアリング装置のラックシャフト６には、操舵機構１の特にラックシャフト６に対してステアリング操作を補助するためのアシスト力を付与（以下、「操舵アシスト」という）する操舵力補助装置としてのモータコントロールユニット（以下、「ＭＣＵ」という）２０が備え付けられる。
【００２４】
ＭＣＵ２０は、操舵アシストの際の動力源となる操舵アクチュエータとしての操舵モータ２１と、操舵モータ２１の作動を制御する制御部としてのＥＣＵ２５を備える。操舵モータ２１は、例えば、三相のブラシ付きモータが採用される。操舵モータ２１の出力軸にはウォームシャフト２２が連結される。ウォームシャフト２２は、ウォームホイール２３を介してピニオンシャフト２４に連結される。そして、ラックハウジング７には、ピニオンシャフト２４がラックシャフト６と斜交する状態で回転可能に収容され、ラックシャフト６のラック歯６ｂとピニオンシャフト２４のピニオン歯２４ａとが噛合される。すなわち、ＭＣＵ２０は、ラックアンドピニオン機構５とユニット化されたギヤＡＳＳＹ３０を構成する。
【００２５】
したがって、操舵モータ２１の回転をウォームシャフト２２、ウォームホイール２３、及びピニオンシャフト２４を介してラックシャフト６に伝達することによりモータトルクを動力として操舵アシストする。すなわち、本実施形態のステアリング装置におけるＭＣＵ２０は、ラック型であってデュアルピニオン型の電動パワーステアリング装置として機能しうる。
【００２６】
また、ＥＣＵ２５には、トルクセンサ１０が接続される。トルクセンサ１０は、ステアリングホイール２に加わる操舵トルク、すなわち操舵機構１にかかる操舵トルクを検出する。トルクセンサ１０は、ステアリングシャフト４の中でもステアリングホイール２寄りのコラムシャフト１１に内挿されたトーションバー１１ａ近傍に設けられ、コラムシャフト１１とユニット化されたコラムＡＳＳＹ３１を構成する。そして、トルクセンサ１０は、トーションバー１１ａの捻じれに応じた信号をＥＣＵ２５に出力する。本実施形態では、トルクセンサ１０から操舵トルクを示す検出信号τｄ０がデジタル信号としてデジタル出力される。
【００２７】
そして、ＥＣＵ２５は、トルクセンサ１０により検出される操舵トルクに応じて、マップを用いてモータトルク指令値を演算し、モータトルク指令値に基づく電流指令値を演算する。続いて、ＥＣＵ２５は、電流指令値の電流フィードバック制御を通じて、電圧指令値を演算し、電圧指令値に基づきモータ制御信号を演算して操舵モータ２１への駆動電力の供給を制御する。
【００２８】
本実施形態のステアリング装置は、ＭＣＵ２０に対してトルクセンサ１０が独立して設けられた、独立式トルクセンサの電動パワーステアリング装置である。こうした独立式トルクセンサの電動パワーステアリング装置の特徴は、操舵機構１の入力となるステアリング操作の基となるステアリングホイール２に対してトルクセンサ１０をできるだけ近付けて設けている点にある。その他の特徴は、操舵機構１の出力先となる転舵輪３に対してＭＣＵ２０をできるだけ近付けている点にある。このため、操舵トルクの検出精度を飛躍的に高めることができるとともに、操舵アシストの効率を飛躍的に高めることができるのが特徴である。
【００２９】
また、本実施形態では、ＥＣＵ２５もＭＣＵ２０にユニット化して、ＥＣＵ２５の設置場所が車室外になる点も特徴である。このため、ＥＣＵ２５から操舵モータ２１の間の配線を極力短くすることができ、その間の信号の伝達精度を飛躍的に高めることができるとともに、伝達時間のロス等も低減することができる。
【００３０】
次に、トルクセンサ１０の構成について説明する。
図２に示すように、トルクセンサ１０は、コラムシャフト１１内であって、トーションバー１１ａに沿って配置される。トルクセンサ１０は、操舵機構１、すなわちステアリングシャフト４にかかる操舵トルクを検出する検出部としてのセンサＩＣ４０を備える。センサＩＣ４０は、２つのホール素子４０ａ，４０ｂからなり、これらをトーションバー１１ａの径方向に沿って並べて配置してパッケージされたホールＩＣである。
【００３１】
そして、センサＩＣ４０からは、ホール素子４０ａ，４０ｂが検出する磁束に応じた電圧信号である検出信号τａがアナログ信号としてアナログ出力される。検出信号τａは、ホール素子４０ａ，４０ｂがそれぞれ出力する電圧信号を含む。
【００３２】
また、トルクセンサ１０は、センサＩＣ４０が出力する検出信号τａをデジタル信号にデジタル変換して出力する変換部としてのＡ／Ｄ変換チップ４１を備える。Ａ／Ｄ変換チップ４１には、デジタル変換に関わる演算を行う演算部４２と、トルクセンサ１０に関わる固有情報を記憶した記憶部としてのメモリ４３が搭載される。そして、Ａ／Ｄ変換チップ４１の演算部４２は、検出信号τａを入力すると、その検出信号τａをデジタル変換する。
【００３３】
ただし、センサＩＣ４０のホール素子４０ａ，４０ｂは、検知する磁束と出力する電圧信号の関係に個体差があるのが一般的である。そこで、本実施形態では、Ａ／Ｄ変換チップ４１がデジタル変換のタイミングに合わせてオフセット補正も行う。オフセット補正は、ホール素子４０ａ，４０ｂが検出する磁束が「０（零）」のときの出力レベルを補正する機能であって、ステアリングホイール２の中立位置の検出のずれ、すなわち操舵トルク「０」を補正する。なお、オフセット補正は、デジタル変換において、デジタル変換前のアナログ信号をオフセット補正してもよいし、デジタル変換後のデジタル信号をオフセット補正してもよい。
【００３４】
このため、Ａ／Ｄ変換チップ４１に搭載されるメモリ４３には、トルクセンサ１０の固有情報として、オフセット補正に必要な操舵トルク「０」をオフセットするためのオフセット値が記憶されている。すなわち、トルクセンサ１０は、オフセット値を記憶したメモリ４３を備えていることになる。なお、オフセット値は、オフセット補正のタイミングに合わせてアナログ信号又はデジタル信号に応じた値が設定される。また、オフセット値は、ステアリング装置の組み付け前や組み付け後の任意のタイミングで、トルクセンサ毎にそれぞれ設定されるものである。
【００３５】
そして、Ａ／Ｄ変換チップ４１は、デジタル変換の際にメモリ４３からオフセット値を読み出してそのオフセット値τ０を重畳（加算）した検出信号τｄ０をデジタル信号としてデジタル出力する。このようにＥＣＵ２５に出力する検出信号τｄ０は、予めオフセット補正された、すなわちステアリングホイール２の中立位置の検出のずれが既に補正された信号である。このため、ＥＣＵ２５は、検出信号τｄ０を入力すると、その検出信号τｄ０をオフセット補正することなく用いて操舵トルクを演算することができる。
【００３６】
以上に説明したステアリング装置によれば、以下の（１）〜（４）に示す作用及び効果を奏する。
（１）本実施形態では、メモリ４３が常にトルクセンサ１０とセットで取り扱われるようになり、トルクセンサ１０に付いて回るようになる。すなわち、トルクセンサ１０のオフセット値がトルクセンサ１０で管理されるようになる。
【００３７】
このため、本実施形態では、ステアリング装置に異常があって、トルクセンサ１０、すなわちコラムＡＳＳＹ３１やＥＣＵ２５、すなわちギヤＡＳＳＹ３０を交換する際に非常に有効な手段となる。
【００３８】
ここで、図３に示すように、ステアリング装置に異常があって、トルクセンサ１０、すなわちコラムＡＳＳＹ３１を交換する場合について説明する。交換前にステアリング装置を構成するトルクセンサ１０及びＥＣＵ２５をそれぞれＡ個体とする。すなわち、交換前には、Ａ個体のトルクセンサ１０を備えたコラムＡＳＳＹ３１と、Ａ個体のＥＣＵ２５を備えたギヤＡＳＳＹ３０とがステアリング装置を構成する。この場合のＡ個体のトルクセンサ１０に搭載されるメモリ４３には、Ａ個体のトルクセンサ１０に応じて設定されたオフセット値（Ａ）が記憶されている。
【００３９】
そして、Ａ個体のトルクセンサ１０を備えたコラムＡＳＳＹ３１を、Ｃ個体のトルクセンサ１０´を備えたコラムＡＳＳＹ３１´に交換すると、Ｃ個体のトルクセンサ１０´に搭載されるメモリ４３´には、Ｃ個体のトルクセンサ１０に応じて設定されたオフセット値（Ｃ）が記憶されている。
【００４０】
この場合、Ｃ個体のトルクセンサ１０´からは、当然のことながらオフセット値（Ｃ）によりオフセット補正された検出信号τｄ０が出力される。すなわち、Ａ個体のＥＣＵ２５は、元々Ａ個体のトルクセンサ１０と組み合わせられていたが、制御に用いるために入力する検出信号τｄ０については交換の前後で変わらずオフセット補正された信号であるので、トルクセンサの個体が交換されても制御を正常に遂行することができる。
【００４１】
このため、ステアリング装置に異常があって、トルクセンサ１０、すなわちコラムＡＳＳＹ３１を交換する際には、ＥＣＵ２５としてトルクセンサ１０の交換を把握することが必要なくなる。このように、トルクセンサ１０を交換したとしてもＥＣＵ２５及びトルクセンサ１０についてお互いを関連付けるような処置を施す必要がない。したがって、トルクセンサ１０を交換してもトルクセンサ１０´の検出結果に適切なオフセット値を反映させることができる。
【００４２】
一方、図３に示すように、ステアリング装置に異常があって、ＥＣＵ２５、すなわちギヤＡＳＳＹ３０を交換する場合について説明する。上記同様、交換前にステアリング装置を構成するトルクセンサ１０及びＥＣＵ２５をそれぞれＡ個体とする。
【００４３】
そして、Ａ個体のＥＣＵ２５を備えたギヤＡＳＳＹ３０を、Ｂ個体のＥＣＵ２５´を備えたギヤＡＳＳＹ３０´に交換する。この場合、Ａ個体のトルクセンサ１０は交換されずそのままのため、Ａ個体のトルクセンサ１０に搭載されるメモリ４３には、Ａ個体のトルクセンサ１０に応じて設定されたオフセット値（Ａ）が記憶されている。
【００４４】
この場合、Ａ個体のトルクセンサ１０からは、当然のことながらオフセット値（Ａ）によりオフセット補正された検出信号τｄ０が出力される。すなわち、Ｂ個体のＥＣＵ２５´は、元々Ａ個体のトルクセンサ１０と組み合わせられていたものとは異なるが、制御に用いるために入力する検出信号τｄ０については交換の前後で変わらずオフセット補正された信号であるので、ＥＣＵの個体が交換されても制御を正常に遂行することができる。
【００４５】
このため、ステアリング装置に異常があって、ＥＣＵ２５、すなわちギヤＡＳＳＹ３０を交換する際には、トルクセンサ１０のオフセット値はトルクセンサ１０で管理されるので、トルクセンサ１０のオフセット値についてＥＣＵ２５´として特段の設定が必要なくなる。したがって、ＥＣＵ２５を交換してもトルクセンサ１０の検出結果に適切なオフセット値を反映させることができる。
【００４６】
（２）上述したように、本実施形態では、ＥＣＵ２５及びトルクセンサ１０についてお互いの個体が関連付けされてなくてもＥＣＵ２５による正常な制御の遂行を可能にする。このように、ＥＣＵ２５及びトルクセンサ１０についてお互いの個体を関連付けるような処置を施す必要がなければ、ステアリング装置の製造工場での組立工程においてもその有効性が発揮される。
【００４７】
すなわち、上記製造工場では、トルクセンサ１０としてオフセット値の設定が完了さえされていればＥＣＵ２５との関係を気にせず適当な組み合わせで組み立てて行くことができる。これは、トルクセンサ１０やＥＣＵ２５を交換する際も同様であって、交換後の組み合わせを気にせず適当に組み立てることができる。したがって、ステアリング装置の組み立てに関わる場面で作業性の効率を向上させることができる。
【００４８】
（３）本実施形態では、ＥＣＵ２５が検出信号τｄ０といったデジタル信号を入力する仕様を採用する。このように、トルクセンサ１０がＥＣＵ２５に対してデジタル出力する場合、メモリ４３のＡ／Ｄ変換チップ４１への搭載が推奨され、Ａ／Ｄ変換チップ４１のデジタル変換の際にメモリ４３のオフセット値を反映させることが推奨される。
【００４９】
上述したように、推奨される組み合わせでメモリ４３を搭載することで、その搭載のためのスペースの確保を容易にするのに寄与し、オフセット値の反映に係る構成を簡素化するのに寄与しうる。
【００５０】
（４）本実施形態では、通常、トルクセンサの検出結果に対してはオフセット補正されることから、汎用性の高いオフセット値についてトルクセンサ１０で独自に管理することができるようになる。したがって、メモリ４３を搭載したトルクセンサ１０の汎用性を高めることができる。
【００５１】
（第２実施形態）
次に、ステアリング装置の第２実施形態を説明する。なお、本実施形態と上記第１実施形態との主たる相違点は、トルクセンサにおけるメモリの搭載の方法である。このため、既に説明した実施形態と同一構成及び同一制御内容などは、同一の符号を付すなどして、その重複する説明を省略する。
【００５２】
本実施形態では、トルクセンサ１０から操舵トルクを示す検出信号τａ０がアナログ信号としてアナログ出力される。
そして、図４に示すように、トルクセンサ１０には、トルクセンサ１０に関わる固有情報を記憶した記憶部としてのメモリ４４がセンサＩＣ４０とは別に搭載される。本実施形態では、センサＩＣ４０がアナログ出力するタイミングに合わせて上記オフセット補正を行う。本実施形態のメモリ４４には、トルクセンサ１０の固有情報として、オフセット補正に必要な操舵トルク「０」をオフセットするためのオフセット値が記憶されている。なお、オフセット値は、アナログ信号に応じた値が設定される。
【００５３】
具体的に、本実施形態のトルクセンサ１０は、検出信号τａとメモリ４４に記憶されているオフセット値τ０を重畳（加算）する加算器４５を搭載する。そして、加算器４５は、センサＩＣ４０が出力した検出信号τａにオフセット値τ０を重畳した検出信号τａ０をアナログ信号としてアナログ出力する。このようにＥＣＵ２５に出力する検出信号τａ０は、予めオフセット補正された、すなわちステアリングホイール２の中立位置の検出のずれが既に補正された信号である。このため、ＥＣＵ２５は、検出信号τａ０を入力すると、その検出信号τａ０をオフセット補正することなく用いて操舵トルクを演算することができる。
【００５４】
以上に説明したステアリング装置によれば、第１実施形態の（１），（２），（４）に示す作用及び効果に加え、以下の（５）に示す作用及び効果を奏する。
（５）本実施形態では、ＥＣＵ２５が検出信号τａ０といったアナログ信号を入力する仕様を採用する。このように、トルクセンサ１０がＥＣＵ２５に対してアナログ出力する場合、メモリ４４はセンサＩＣ４０とは別個の搭載が推奨され、センサＩＣのアナログ出力に対してメモリ４４のオフセット値を反映させることが推奨される。
【００５５】
上述したように、推奨される組み合わせでメモリ４４を搭載することで、その搭載のためのスペースの確保を容易にするのに寄与し、オフセット値の反映に係る構成を簡素化するのに寄与しうる。
【００５６】
なお、上記各実施形態は、これを適宜変更した以下の形態にて実施することもできる。
・トルクセンサ１０は、オフセット値を記憶したメモリ４３，４４を備えるがオフセット補正しないで検出信号をＥＣＵ２５に出力することもできる。この場合に、トルクセンサ１０は、メモリ４３，４４に記憶しているオフセット値をＥＣＵ２５に出力する。そして、ＥＣＵ２５は、トルクセンサ１０から入力するオフセット値に基づき検出信号をオフセット補正することになる。その他、トルクセンサ１０及びＥＣＵ２５とは別にオフセット補正を行う補正用のＥＣＵを設けてもよい。この場合に、トルクセンサ１０は、メモリ４３，４４に記憶しているオフセット値を上記補正用のＥＣＵに出力すればよい。
【００５７】
・メモリ４３，４４が記憶する固有情報としては、検出信号の検出結果を補正するものであれば変更してもよく、例えば、検出結果の線形性を補正する補正値であってもよい。これによれば、トルクセンサ、すなわちホール素子毎に誤差に起因して線形性を補正する場合でもステアリング装置を構成しているトルクセンサに応じた補正値を正確に反映させることができる。また、こうした固有情報としては、単一種類の補正値に限らず複数種類の補正値を合わせて記憶しておくこともできる。この場合には、単一種類の補正処理を行うに限らず、複数種類の補正処理を合わせて行うこともできる。
【００５８】
・ステアリングシャフト４は、少なくともコラムシャフト１１とその他に分割可能に構成されていればよく、コラムシャフト１１とピニオンシャフト１３とを連結したり、中間シャフト１２やピニオンシャフト１３をさらに分割可能にしたりしてもよい。すなわち、ステアリング装置は、ギヤＡＳＳＹ３０と及びコラムＡＳＳＹ３１といった２つのユニットに分割可能であればよい。
【００５９】
・第１実施形態では、Ａ／Ｄ変換チップ４１とは別にメモリ４３を搭載してもよい。この場合にもオフセット補正に関しては、演算部４２がメモリ４３からオフセット値を取得（入力）して行えばよい。一方。オフセット補正に関しては、演算部４２とは別にオフセット補正を行う演算部を設けてもよい。
【００６０】
・第２実施形態のＥＣＵ２５では、ＥＣＵ２５の入力ポートにＡ／Ｄ変換チップを搭載することでデジタル信号としてトルクセンサ１０から検出結果を入力可能にしてもよい。
・各実施形態では、ホール素子を用いたトルクセンサの適用例を示したが、レゾルバ等の他の方式を適用したトルクセンサであってもよい。
【００６１】
・各実施形態において、操舵モータ２１には、ブラシレスモータを採用することもできる。この場合には回転を制御するために操舵モータ２１の回転角を検出し、その検出結果をＥＣＵ２５に出力する回転角センサを設ければよい。
【００６２】
・各実施形態のステアリング装置は、ギヤＡＳＳＹ３０のピニオンシャフト１３（ラックアンドピニオン機構５）に操舵モータ２１の動力を付与する、所謂、ピニオン型の電動パワーステアリング装置であってもよい。その他、各実施形態は、ラック型の電動パワーステアリング装置であればラックパラレル型やラックダイレクト型の電動パワーステアリング装置へ適用可能である。
【００６３】
次に、上記各実施形態及び別例（変形例）から把握できる技術的思想について以下に追記する。
（イ）前記トルクセンサは、前記記憶部の前記固有情報を反映させた検出結果を前記制御部に出力する。この構成によれば、制御部は、トルクセンサから検出結果を入力さえすれば正常な制御を実現することができる。
【符号の説明】
【００６４】
１…操舵機構、２…ステアリングホイール、２ａ…機械機構、３…転舵輪、４…ステアリングシャフト、４ａ，４ｂ…自在継手、６…ラックシャフト（転舵シャフト）、１０…トルクセンサ、１１…コラムシャフト、１２…中間シャフト、１３…ピニオンシャフト、２１…操舵モータ、１５…ＥＣＵ（制御部）、４０…センサＩＣ（検出部）、４１…Ａ／Ｄ変換チップ（変換部）、４２…演算部、４３，４４…メモリ（記憶部）、４５…加算器、τｄ，τｄ０…検出信号（デジタル信号）、τａ，τａ０…検出信号（アナログ信号）、τ０…オフセット値。
【図１】
2016041542.tif 000003
【図２】
2016041542.tif 000004
【図３】
2016041542.tif 000005
【図４】
2016041542.tif 000006
【手続補正書】
【提出日】平成27年8月7日(2015.8.7)
【手続補正１】
【補正対象書類名】明細書
【補正対象項目名】００２０
【補正方法】変更
【補正の内容】
【００２０】
具体的に、ステアリングホイール２は、ステアリングシャフト４に対して周方向に回転可能に機械機構２ａを介して連結（固定）される。ステアリングシャフト４は、ステアリングホイール２側から順に、一端にステアリングホイール２が機械機構２ａを介して連結されるコラムシャフト１１と、コラムシャフト１１と自在継手４ａを介して機械的に連結される中間シャフト１２と、中間シャフト１２と自在継手４ｂを介して機械的に連結されるピニオンシャフト１３からなる。
【手続補正２】
【補正対象書類名】明細書
【補正対象項目名】００３０
【補正方法】変更
【補正の内容】
【００３０】
次に、トルクセンサ１０の構成について説明する。
図２に示すように、トルクセンサ１０は、コラムシャフト１１内であって、トーションバー１１ａに沿って配置される。トルクセンサ１０は、操舵機構１、すなわちステアリングシャフト４にかかる操舵トルクを検出する検出部としてのセンサＩＣ４０を備える。センサＩＣ４０は、２つのホール素子４０ａ，４０ｂからなり、これらをトーションバー１１ａの周方向に沿って並べて配置してパッケージされたホールＩＣである。